(57)【特許請求の範囲】
【請求項１】
左右に立設した１対の側板の互いに対向する内側面の前後部に設けられたほぼ等高の受け具に、ブラケットを係着し、この左右の両ブラケット間に棚板を支持してなる棚装置であって、
ブラケットを、前端部および下端部がほぼ直線状をなし、後方が円弧状をなす側方視ほぼ扇形とするとともに、直線状の前端部を棚板保持部とし、かつ扇形の要位置に下方に開口する下向き凹溝を設けると同時に、後方の円弧状部分に所定間隔で離間させた外方に開口する複数の外向き凹溝を設け、さらに前記下向き凹溝を前部受け具に、また選択したいずれかの前記外向き凹溝を後部受け具に、それぞれ係着させたことを特徴とする棚装置。
【請求項２】
ブラケットを、選択したいずれかの外向き凹溝を後部受け具に係着させた後に、後部受け具を支点として回動させることにより、下向き凹溝を前部受け具に係着させうるようにした請求項１記載の棚装置。
【請求項３】
ブラケットの前端部を、左右方向の内側に折曲して、この折曲部を棚板受面とするとともに、前記折曲部の遊端の少なくとも一部を前方に折曲して係止部を形成し、この係止部を、棚板に設けた被係止部に係止させることにより、ブラケットを棚板に固定した請求項１または２記載の棚装置。
【請求項４】
棚板を、陳列商品の背面受け材とする棚板本体と、陳列商品の底部受け材とする棚板補助部材とにより、側方視ほぼ前向きＬ字状とするとともに、棚板補助部材は、前端縁に立設された落止片を備えるものとした請求項１〜３のいずれかに記載の棚装置。
【請求項５】
棚板本体と棚板補助部材とを分離可能とするとともに、棚板補助部材を、前端縁に落止片が立設され、かつ後端縁に棚板本体との連結片が立設された側方視上向きコ字状に形成したものとした請求項４記載の棚装置。
【請求項６】
側方視上向きコ字状の棚板補助部材の前後方向の奥行き長さが異なる複数の棚板補助部材を用意し、これらの中から適宜選択した棚板補助部材を、棚板本体と結合させることにより、棚板の前後方向の奥行き長さを調節可能とした請求項５記載の棚装置。
【請求項７】
棚板補助部材における落止片を分離可能にした請求項４〜６のいずれかに記載の棚装置。
【発明の詳細な説明】
【技術分野】
【０００１】
本発明は、棚装置に関し、特に書籍等における前表紙を効果的に視認することができるように、前表紙を正面向きにして棚板に陳列するとともに、棚板における陳列商品の背面受け材を後方に適宜の角度で傾斜させ得る優れた表紙見せ機能を備える棚装置に関する。
【背景技術】
【０００２】
従来の棚装置は、主にスーパーマーケットやコンビニエンスストア等において、棚板に陳列される商品の表紙などが見易くなるように、棚板を角度可変としたものや（たとえば特許文献１、２参照）、図書館等において使用されている傾斜可能な棚板を備えたものがある（たとえば特許文献３参照）。
【０００３】
しかし、前記した特許文献１、２記載のものは、棚板を支持するブラケットが、左右に立設した脚支柱や支持側杆の前面に列設した係合孔に取り付けられているため、見栄えが悪く、しかも、棚板の角度調整を行う際には、棚板とブラケットとを分離しなければならず、作業が面倒で、手間が掛かるという問題があった。
【０００４】
また、特許文献３記載のものでは、側板における内側面の上下方向に前後二列に列設した係合孔に、棚受け具をそれぞれ係着するとともに、前後の棚受け具の高さ位置を変えることにより、棚板が前方または後方に向けて傾斜しうるようにしてあるため、棚板の傾斜角度が小さく、商品の表紙見せ棚として使用するためには、機能性の面で充分でないという問題があった。
【特許文献１】特開２００３−２５９９２４号公報
【特許文献２】特開２００４−３４４２８２号公報
【特許文献３】特開２００６−１３０１７６号公報
【発明の開示】
【発明が解決しようとする課題】
【０００５】
本発明は、前記の現状に鑑み、棚板の傾斜角度の変更調整を容易に行えるとともに、表紙見せ棚としての機能性を高めることができるようにした棚装置を提供することを目的とする。
【課題を解決するための手段】
【０００６】
上記課題は、「特許請求の範囲」における各請求項に記載するように、次のような構成からなる発明によって解決される。
（１）  左右に立設した１対の側板の互いに対向する内側面の前後部に設けられたほぼ等高の受け具に、ブラケットを係着し、この左右の両ブラケット間に棚板を支持してなる棚装置であって、ブラケットを、前端部および下端部がほぼ直線状をなし、後方が円弧状をなす側方視ほぼ扇形とするとともに、直線状の前端部を棚板保持部とし、かつ扇形の要位置に下方に開口する下向き凹溝を設けると同時に、後方の円弧状部分に所定間隔で離間させた外方に開口する複数の外向き凹溝を設け、さらに前記下向き凹溝を前部受け具に、また選択したいずれかの前記外向き凹溝を後部受け具に、それぞれ係着させる。
【０００７】
（２）  上記（１）項において、ブラケットを、選択したいずれかの外向き凹溝を後部受け具に係着させた後に、後部受け具を支点として回動させることにより、下向き凹溝を前部受け具に係着させうるようにする。
【０００８】
（３）  上記（１）項または（２）項において、ブラケットの前端部を、左右方向の内側に折曲して、この折曲部を棚板受面とするとともに、前記折曲部の遊端の少なくとも一部を前方に折曲して係止部を形成し、この係止部を、棚板に設けた被係止部に係止させることにより、ブラケットを棚板に固定する。
【０００９】
（４）  上記（１）〜（３）項のいずれかにおいて、棚板を、陳列商品の背面受け材とする棚板本体と、陳列商品の底部受け材とする棚板補助部材とにより、側方視ほぼ前向きＬ字状とするとともに、棚板補助部材は、前端縁に立設された落止片を備えるものとする。
【００１０】
（５）  上記（４）項において、棚板本体と棚板補助部材とを分離可能とするとともに、棚板補助部材を、前端縁に落止片が立設され、かつ後端縁に棚板本体との連結片が立設された側方視上向きコ字状に形成する。
【００１１】
（６）  上記（５）項において、側方視上向きコ字状の棚板補助部材の前後方向の奥行き長さが異なる複数の棚板補助部材を用意し、これらの中から適宜選択した棚板補助部材を、棚板本体と結合させることにより、棚板の前後方向の奥行き長さを調節可能とする。
【００１２】
（７）  上記（４）〜（６）項のいずれかにおいて、棚板補助部材における落止片を分離可能にする。
【発明の効果】
【００１３】
本発明によれば、次のような効果を奏することができる。
請求項１記載の発明によると、ブラケットを、前端部および下端部がほぼ直線状をなし、後方が円弧状をなす側方視ほぼ扇形とするとともに、直線状の前端部を棚板保持部とし、かつ扇形の要位置に下方に開口する下向き凹溝を設けると同時に、後方の円弧状部分に所定間隔で離間させた外方に開口する複数の外向き凹溝を設け、さらに前記下向き凹溝を前部受け具に、また選択したいずれかの前記外向き凹溝を後部受け具に、それぞれ係着させるようにしてあるため、後部受け具に係着する外向き凹溝の選択によって、棚板の傾斜角度を容易に変更調整することができるとともに、棚板の傾斜角を幅広く選択することができ、これにより、表紙見せ棚としての機能性を高めることができる。
【００１４】
請求項２記載の発明によると、ブラケットを、選択したいずれかの外向き凹溝を後部受け具に係着させた後に、後部受け具を支点として回動させることにより、下向き凹溝を前部受け具に係着させうるようにしてあるため、棚板にブラケットを取り付けた状態で、棚装置の手前側からの操作により、棚板の組付作業および角度調整を効率よく行うことができる。
【００１５】
請求項３記載の発明によると、ブラケットの前端部を、左右方向の内側に折曲して、この折曲部を棚板受面とするとともに、折曲部の遊端の少なくとも一部を、前方に折曲して係止部を形成し、この係止部に、棚板に設けた被係止部を係止させることにより、ブラケットを棚板に固定してあるため、ブラケットと棚板との取り付けを容易に行うことができるとともに、ブラケットを棚板に安定して取り付けることができる。
【００１６】
請求項４記載の発明によると、棚板を、陳列商品の背面受け材とする棚板本体と、陳列商品の底部受け材とする棚板補助部材とにより、側方視ほぼ前向きＬ字状としてあるため、棚板本体に立て掛けられた商品を安定して陳列することができる。
また、棚板補助部材は、前端縁に立設された落止片を備えるものとしてあるため、棚板からの商品の前方への滑落を効果的に防止することができる。
【００１７】
請求項５記載の発明によると、棚板本体と棚板補助部材とを分離可能とするとともに、棚板補助部材を、前端縁に落止片が立設され、かつ後端縁に棚板本体との連結片が立設された側方視上向きコ字状に形成してあるため、商品を、棚板補助部材上に安定して載置することができる。
【００１８】
請求項６記載の発明によると、側方視上向きコ字状の棚板補助部材の前後方向の奥行き長さが異なる複数の棚板補助部材を用意し、これらの中から適宜選択した棚板補助部材を、棚板本体と結合させることにより、棚板の前後方向の奥行き長さを調節可能としてあるため、商品を、商品の厚さに応じて棚板補助部材上に安定して載置することができる。
【００１９】
請求項７記載の発明によると、棚板補助部材における落止片を分離可能にしてあるため、落止片の着脱を容易に行うことができる。
【発明を実施するための最良の形態】
【００２０】
次に、本発明の一実施形態を、図面に基づいて詳細に説明する。
図１は、本発明の一実施形態における棚装置の全体構成を概略的に示す斜視図、図２は、棚装置における棚板の取付け状態を示す要部拡大縦断面図、図３は、側板へのブラケットによる棚板の組付状態を棚装置の後方から見た要部分解斜視図、図４は、棚板の下端部に設けられる棚板補助部材の拡大斜視図である。
【００２１】
図１および図２に示すように、本発明の棚装置１は、架台２上に立設された左右１対の側板３、３と、この左右の側板３、３における互いに対向する内側面３ａ間に組み付けられた棚板４と、この棚板４の左右両端部を背面側から支持し、かつ左右の側板３、３の内側面３ａにそれぞれ取り付けられる左右１対のブラケット５とにより構成されている。
【００２２】
各側板３の内側面３ａには、上下方向に所定間隔をもって、前後二列の横長方形の係止孔６、７が穿設されているとともに、棚板４の高さに応じて、互いに等高位置に選択された前部係止孔６と後部係止孔７とには、ほぼ円柱形をなすダボ状の前部受け具８および後部受け具９が、それぞれ着脱可能に設けられている。
【００２３】
等高位置における前後の受け具８、９間には、ブラケット５が係着されている。
このブラケット５は、図３に示すように、側方視ほぼ扇形の基板１０によって形成されており、前端部１０ａおよび下端部１０ｂがほぼ直線状をなし、後方部１０ｃが円弧状をなしているとともに、直線状の前端部１０ａを棚板保持部としている。
【００２４】
基板１０における扇形の要位置となる下端部１０ｂの前端には、下方に開口する下向き凹溝１１が設けられると同時に、後方の円弧状部分１０ｃには、下向き凹溝１１の中心Ｏから径方向の外方に開口する複数の外向き凹溝１２が、それぞれ所定の角度間隔θをもって離間して放射状に設けられている。
下向き凹溝１１は前部受け具８に、各々の外向き凹溝１２は後部受け具９に、それぞれ係着可能になっている。
すなわち、ブラケット５は、選択したいずれかの外向き凹溝１２を後部受け具９に係着させた後に、後部受け具９を支点として回動させることにより、下向き凹溝１１を前部受け具８に係着させうるようにしてある。
【００２５】
基板１０の前端部１０ａは、左右方向の内側に折曲して、この折曲部１３の前面を棚板受面とするとともに、折曲部１３の下部には、リベット挿通孔１４が穿設されている。
折曲部１３の遊端１３ａは、前方に折曲することにより、係止部１５を形成するとともに、この係止部１５の上端には、係止爪１６が上方に向けて突出して設けられている。
【００２６】
棚板４は、図２、図３に示すように、アルミニウム押出し材によって、縦向きに傾斜させた左右方向に延びる棚板本体１７と、この棚板本体１７の下端に分離可能に係止される側方視ほぼ上向きコ字状の棚板補助部材１８とを組み合わせて、側方視ほぼ前向きＬ字状となるように形成されている。
【００２７】
棚板本体１７は、棚板４に陳列される陳列商品Ａの背面受け材となるとともに、縦向き使用状態としたときの棚板本体１７の下端部には、左右方向および下方に開口する係合溝１９が形成されている。
この係合溝１９は、左右方向に延びるとともに、棚板本体１７の下端縁面の前後縁を残して中央部が下方に開口され、前後方向の幅が開口よりも奥部が広幅に形成されている。
係合溝１９における前後の対向面間は、互いに対向する１対の左右方向の突条２０、２１でもって区画され、下方から上方に向けて順次第１係合溝１９ａ、第２係合溝１９ｂが形成されている。
【００２８】
棚板本体１７における背面の上部には、被係止部である左右１対のスリット２２が設けられているとともに、このスリット２２には、ブラケット５における係止部１５の上端に上方に向けて突出させて設けた係止爪１６が差込み係止されるようになっている。
【００２９】
ブラケット５における基板１０の折曲部１３の下部に穿設したリベット挿通孔１４には、リベット２３が差し込まれるとともに、このリベット２３は、棚板本体１７の背面下部に設けたリベット孔２４に差し込まれて、棚板４を形成する棚板本体１７が、リベット止めすることにより、ブラケット５に固定されている。
【００３０】
棚板補助部材１８は、図３、図４に示すように、陳列商品Ａの底部受け材として用いられ、前端縁に前部立片をなす落止片２５が立設され、かつ後端縁に後部立片をなす棚板本体１７との連結片２６が立設された側方視ほぼ上向きコ字状に形成されている。
この上向きコ字状における前後両端縁の落止片２５と連結片２６の間には、棚板本体１７における下端部の係合溝１９に係止可能な上向きＴ字形に突出する係止突部２７が設けられている。
【００３１】
棚板補助部材１８は、上向きコ字状における前後の落止片２５と連結片２６の間の前後方向の奥行き長さＷ1がそれぞれ異なるように、複数個用意されており、それらの中の１つを、陳列商品Ａの厚さＴに応じて選択して、棚板本体１７の下端部に結合しうるようにすることより、棚板４の前後方向の奥行き長さが調節可能になっている。
【００３２】
上向きコ字状の前端縁に立設された落止片２５は、陳列商品Ａが棚板４から落下するのを防止する機能を有するとともに、後端縁に立設された連結片２６の上下方向の長さＷ2を、落止片２５と連結片２６の間の前後方向の奥行き長さＷ1よりも小さくしてある。
すなわち、棚板補助部材１８は、後記するように、棚板本体１７を横向き状態で使用したときに、棚板本体１７上の後端に上向きコ字状または後向きコ字状に載置することにより、棚板本体１７上に陳列商品Ａを載置するための前後方向の奥行き長さが調整可能にとなるように、落止片２５と連結片２６の間の前後方向の奥行き長さＷ1と、連結片２６の上下方向の長さＷ2が、互いに異なるようにしている。
【００３３】
棚板本体１７の背面には、左右方向に延びる上下二列の支持溝２８、２９が設けられ、これらの支持溝２８、２９を、側板３の内側面３ａにおける前後の係止孔６、７の等高位置に設けられた前後の受け具８、９に、それぞれ支持させることにより、棚板本体１７を、左右の両側板３間にほぼ水平状態に配設する、所謂横向きの状態での使用を可能にしている。
一方、前記したように、左右のブラケット５，５による棚板本体１７の縦向きの状態での使用に際しては、上向きコ字状をなす棚板補助部材１８における連結片２６の上端を前方に曲折した曲折片３０を下部支持溝２９に係止しうるようになっている。
【００３４】
次に、棚装置１の組付手順を説明する。
まず、図２に示すように、陳列商品Ａの厚さＴに応じて、棚板補助部材１８の前後方向の奥行き長さＷ1を決定する。
この奥行き長さＷ1を有する棚板補助部材１８を選択し、棚板本体１７に対し、左右方向からスライドさせることにより、前後の落止片２５と連結片２６の間に形成した係合突起２７を、棚板本体１７の下端部に形成された係合溝１９に係合させると同時に、棚板補助部材１８における後部立片２６の上端に形成した曲折片３０を、棚板本体１７の背面の下部支持溝２９に係止させる。
これにより、棚板４の背面受け材を形成する棚板本体１７の下端部に、棚板補助部材１８が組み付けられて、棚板４が形成される。
【００３５】
次いで、棚板本体１７の背面の左右に穿設したスリット２２に、ブラケット５における基板１０の係止爪１６を差し込んで係止するとともに、基板１０における折曲部１３の下部に穿設したリベット挿通孔１４にリベット２３を差し込み、かつこのリベット２３を、棚板本体１７の背面下部に設けたリベット孔２４に差し込んで、リベット止めすることにより、棚板４の左右背面にブラケット５をそれぞれ固定する。
【００３６】
次いで、左右の側板３の内側面３ａに設けた所望の等高位置の前後の係止孔６、７に、前後の受け具８、９を固定する。
【００３７】
次いで、棚板４を左右の側板３間に配置し、まず、左右のブラケット５における基板１０の後方の円弧状部分１０ｃに形成した複数の外向き凹溝１２の中から、所望の棚板４の傾斜角度αに適合するいずれか１つの外向き凹溝１２を選択し、この選択された外向き凹溝１２を後部受け具９に係着する。
【００３８】
次いで、ブラケット５を回動させて、基板１０の下向き凹溝１１を前部受け具８に係着することにより、棚板４が所望の傾斜角度αで左右の側板３間に架設され、棚板４を縦向きの状態として使用することができる。
【００３９】
図５は、棚板４を横向きの状態として使用する場合を示す要部拡大縦断面図である。
本実施形態においては、左右の側板３における所望の等高位置の前後の係止孔６、７にそれぞれ設けた前後の受け具８、９に、棚板４の横向きの状態において、棚板本体１７の下面に位置する支持溝２８、２９を、それぞれ支持させることにより、側板３に棚板本体１７を、ほぼ水平とした横向きの状態に架設する。
この棚板本体１７の横向きの使用状態のときには、縦向きの使用状態のときに下端に位置する棚板本体１７の係合溝１９を、後端に位置させるとともに、棚板本体１７の後端に、陳列商品Ａの前後方向の後端を係止するストッパ片３１を配置し、かつこのストッパ片３１に設けた係止部３２を、前記係合溝１９に係合させて係着することにより、ストッパ片３１を棚板本体１７の後端に立設しうるようになっている。
【００４０】
一方、前記した棚板本体１７を縦向きの状態で使用した場合の実施形態において説明したように、縦向き使用状態における側方視ほぼ上向きコ字状の棚板補助部材１８は、棚板本体１７を横向きの状態として使用する場合には、棚板本体１７上に、図示するように、前後方向の長さＷ2の連結片２６が位置するように後向きコ字状に載置されて、後端となる曲折片３０を前記ストッパ片３１に当接させることにより、棚板本体１７上に陳列商品Ａを載置しうる有効な奥行き長さＤが奥行き長さＤ1となるように、棚板補助部材１８を棚板４の奥行き調整材として有効に利用することができる。
【００４１】
図６は、棚板４を横向きの状態として使用する場合の他の態様を示す要部拡大縦断面図である。
【００４２】
棚板補助部材１８を、棚板本体１７上に、前後逆にして上向きコ字状に載置するとともに、後端となる落止片２５前記ストッパ片３１に当接させることにより、棚板本体１７上に陳列商品Ａを載置しうる有効な奥行き長さＤが奥行き長さＤ2となるように、同じ棚板補助部材１８を、図５に示した場合とは異なる奥行きを付与するための調整材として有効に利用することができる。
【図面の簡単な説明】
【００４３】
【図１】本発明の一実施形態における棚装置の全体構成を概略的に示す斜視図である。
【図２】棚装置における棚板の取付け状態を示す要部拡大縦断面図である。
【図３】側板へのブラケットによる棚板の組付状態を棚装置の後方から見た要部分解斜視図である。
【図４】棚板の下端部に設けられる棚板補助部材の拡大斜視図である。
【図５】棚板を横向きの状態として使用する場合を示す要部拡大縦断面図である。
【図６】棚板を横向きの状態として使用する場合の他の態様を示す要部拡大縦断面図である。
【符号の説明】
【００４４】
１    棚装置
２    架台
３    側板
３ａ  内側面
４    棚板
５    ブラケット
６    前部係止孔
７    後部係止孔
８    前部受け具
９    後部受け具
１０  基板
１０ａ  前端部
１０ｂ  下端部
１０ｃ  円弧状部分
１１  下向き凹溝
１２  外向き凹溝
１３  折曲部
１３ａ  遊端
１４  リベット挿通孔
１５  係止部
１６  係止爪
１７  棚板本体
１８  棚板補助部材
１９  係合溝（係合部）
１９ａ  第１係合溝
１９ｂ  第２係合溝
２０  前部突条
２１  後部突条
２２  スリット
２３  リベット
２４  リベット孔
２５  落止片（前部立片）
２６  連結片（後部立片）
２７  係止突起
２８  上部支持溝
２９  下部支持溝
３０  曲折片
３１  ストッパ片
３２  係止部
Ａ    陳列商品
Ｄ    棚板本体上に陳列商品を載置しうる有効な奥行き長さ
Ｄ1  棚板補助部材を使用したときの棚板本体上に陳列商品を載置しうる有効な奥行き長さ
Ｄ2  棚板補助部材を使用したときの棚板本体上に陳列商品を載置しうる有効なの奥行き長さ
Ｔ    陳列商品の厚さ
Ｏ    下向き凹溝の中心
Ｗ1  前後立片間の前後方向の奥行き長さ
Ｗ2  後部立片の上下方向の長さ
α    棚板の傾斜角度
θ    外向き凹溝の角度間隔
【図１】
0005180603.tif 000002
【図２】
0005180603.tif 000003
【図３】
0005180603.tif 000004
【図４】
0005180603.tif 000005
【図５】
0005180603.tif 000006
【図６】
0005180603.tif 000007